(57)【要約】【課題】販売可能温度になった商品を適時に販売できる自動販売機の提供【解決手段】温調装置付き収納庫に収納された複数の搬出装置付きコラムと、庫内温度計測センサと、販売状態表示器と、搬出装置、センサ及び表示器と接続された制御部を備え、制御部は、各コラムについて、最大数の商品収容時の庫内温度と該温度で搬出可能となる商品の総数との相関データ及び在庫データを保有し、庫内温度と相関データから搬出可能総数を、最大数から在庫データ中の残存数を減じて搬出済み総数を、それぞれ算出し、前者が後者より多い時、表示器に販売中の表示を指示すると共に販売指令信号が入力された時、搬出装置に搬出指令信号を出力し、両者が等しい時、表示器に準備中の表示を指示すると共に販売を中止する。【選択図】図１
2019101670.tif 000002
【特許請求の範囲】
【請求項１】
温度調整装置を備える収納庫と、
前記収納庫内に収納され、それぞれ複数個の商品を収容する複数のコラムと、
それぞれの前記コラムに付設され、当該コラムから前記商品を搬出する搬出装置と、
前記収納庫内の所定の部位において庫内代表温度を計測するセンサと、
少なくとも前記商品が販売中であるか準備中であるかを表示する表示器と、
前記搬出装置、前記センサ及び前記表示器と電気的に接続された制御部と、
を備え、
前記制御部は、それぞれの前記コラムについて、
当該コラムが最大収容個数の前記商品を収容している状態における前記庫内代表温度と、当該庫内代表温度の下で搬出可能温度となる前記商品の総個数との関係を示す相関データと、
当該コラムにおける前記商品の残存個数を示す在庫データと、
を保有しており、
前記制御部は、それぞれの前記コラムについて、
前記センサから入力される前記庫内代表温度と前記相関データとに基づいて、搬出可能総個数を、
前記最大収容個数から前記在庫データに基づく前記残存個数を差し引くことにより、搬出済み総個数を、
それぞれ算出して、
前記搬出可能総個数が前記搬出済み総個数より多い場合に、前記表示器に対して前記商品が販売中である旨の表示をするよう指示すると共に、販売指令信号が入力された時、前記搬出装置に搬出指令信号を出力し、
前記搬出可能総個数が前記搬出済み総個数と等しい場合に、前記表示器に対して前記商品が準備中である旨の表示をするよう指示すると共に販売を中止することを特徴とする自動販売機。
【請求項２】
前記複数のコラムが、同一種類の商品を収容する複数の前記コラムから成るコラム群を少なくとも１つ含み、
前記制御部は、前記コラム群に属する複数の前記コラムに対応する複数の前記搬出装置を統合して制御し、
前記制御部は、前記コラム群からの前記商品の搬出順位と当該搬出順位において前記商品を搬出すべき前記コラムとの対応を規定する搬出順序データを保有しており、
前記制御部は、前記搬出可能総個数が前記搬出済み総個数より多く、且つ、前記販売指令信号が入力された時、前記搬出順序データに基づいて前記搬出装置に搬出指令信号を出力することを特徴とする、請求項１に記載の自動販売機。
【発明の詳細な説明】
【技術分野】
【０００１】
本発明は、温度調整機能を備える収納庫内に、それぞれ複数個の商品を収容する複数のコラムを収納した自動販売機に関する。
【背景技術】
【０００２】
缶やペットボトル入りの飲料等の商品を、当該商品の販売に適した温度にまで加熱または冷却して販売するよう構成された自動販売機が知られている（特許文献１〜３）。
【０００３】
このような自動販売機においては、それぞれ複数個の商品を収容する複数のコラムが、断熱壁によって囲まれた収納庫の内部に収納されており、当該収納庫には温度調整装置（加熱装置、冷却装置または両者を組み合わせた装置）が付設されている。収納庫内にはセンサが設置されており、当該センサにより計測される庫内温度に基づいて、商品が販売に適した温度となるよう温度調整装置が制御される。
【０００４】
このような自動販売機においては、設置後に初めて商品を充填した場合には、収納庫の庫内温度は外気温と等しくなっている。また、収納庫内のコラムに商品を補充するために収納庫の前扉（断熱壁の一部）を開放した場合には、庫内温度は、商品の販売に適した温度から一旦乖離する。そして、商品の補充が完了した後、収納庫の前扉が閉鎖されると、庫内温度は、温度調整装置の作動によって商品の販売に適した温度へと推移してゆく。
【０００５】
従来の自動販売機においては、センサにより計測される庫内温度が、収納庫内のコラムに収容された全ての商品が販売に適した温度となるような温度になった時点で初めて、これら全ての商品の販売が可能となるように構成されていた。
【０００６】
しかしながら、コラムに収容された商品の温度は収納庫内の部位によって異なり、例えば設置環境（気温、風、日照等）の影響を受けやすい収納庫外縁近傍のコラムに収容された商品は冷却または加熱に長い時間を要する一方、収納庫の中心部近傍のコラムに収容された商品は、外縁近傍のコラムに収容された商品より短時間で販売に適した温度に達する。即ち、センサにより計測される庫内温度が、収納庫内のコラムに収容された全ての商品が販売に適した温度となるような温度に達していない場合であっても、一部の商品については、既に販売に適した温度に達している可能性が高い。
【０００７】
そのため、従来の自動販売機においては、販売に適した温度に達している商品を在庫として保有していながら、これを販売することができず、商品の販売機会の逸失につながっていた。
【０００８】
一方、上述したような自動販売機において、複数のコラムに同一種類の商品を収容して販売することがある。この場合、複数のコラムのそれぞれに対応する商品選択ボタンのうち何れが押されたかに拘らず、商品を複数のコラムから交互に搬出する方法が知られている（特許文献４〜５）。
【０００９】
しかしながら、上述したように、コラムに収容された商品の温度は収納庫内の部位によって異なるため、これを考慮することなく、商品を複数のコラムから単純に交互に搬出した場合、販売に適した温度に達していない商品（特に、収納庫外縁近傍のコラムに収容された商品）が搬出（販売）されてしまう虞がある。
【先行技術文献】
【特許文献】
【００１０】
【特許文献１】特開２０１６−１１８９１１号公報
【特許文献２】特開２０１６−１１８９２１号公報
【特許文献３】特開２０１６−１２２３８８号公報
【特許文献４】特開昭５６−４８９２号公報
【特許文献５】特開２０１１−５３９９４号公報
【発明の概要】
【発明が解決しようとする課題】
【００１１】
本発明は、上述した問題点に鑑みてなされたものであって、販売に適した温度になっている商品を適時に販売することができる温度調整機能付き自動販売機を提供することを目的とする。
【課題を解決するための手段】
【００１２】
上記課題を解決するために、本発明の自動販売機は、温度調整装置を備える収納庫と、前記収納庫内に収納され、それぞれ複数個の商品を収容する複数のコラムと、それぞれの前記コラムに付設され、当該コラムから前記商品を搬出する搬出装置と、前記収納庫内の所定の部位において庫内代表温度を計測するセンサと、少なくとも前記商品が販売中であるか準備中であるかを表示する表示器と、前記搬出装置、前記センサ及び前記表示器と電気的に接続された制御部と、を備え、前記制御部は、それぞれの前記コラムについて、当該コラムが最大収容個数の前記商品を収容している状態における前記庫内代表温度と、当該庫内代表温度の下で搬出可能温度となる前記商品の総個数との関係を示す相関データと、当該コラムにおける前記商品の残存個数を示す在庫データと、を保有しており、前記制御部は、それぞれの前記コラムについて、前記センサから入力される前記庫内代表温度と前記相関データとに基づいて、搬出可能総個数を、前記最大収容個数から前記在庫データに基づく前記残存個数を差し引くことにより、搬出済み総個数を、それぞれ算出して、前記搬出可能総個数が前記搬出済み総個数より多い場合に、前記表示器に対して前記商品が販売中である旨の表示をするよう指示すると共に、販売指令信号が入力された時、前記搬出装置に搬出指令信号を出力し、前記搬出可能総個数が前記搬出済み総個数と等しい場合に、前記表示器に対して前記商品が準備中である旨の表示をするよう指示すると共に販売を中止することを特徴とする。
【００１３】
好ましくは、前記複数のコラムが、同一種類の商品を収容する複数の前記コラムから成るコラム群を少なくとも１つ含み、前記制御部は、前記コラム群に属する複数の前記コラムに対応する複数の前記搬出装置を統合して制御し、前記制御部は、前記コラム群からの前記商品の搬出順位と当該搬出順位において前記商品を搬出すべき前記コラムとの対応を規定する搬出順序データを保有しており、前記制御部は、前記搬出可能総個数が前記搬出済み総個数より多く、且つ、前記販売指令信号が入力された時、前記搬出順序データに基づいて前記搬出装置に搬出指令信号を出力するとよい。
【発明の効果】
【００１４】
本発明によれば、収容されている商品のうち少なくとも１個が搬出可能温度に達しているコラムについては、当該商品の搬出（販売）が可能となるので、商品の販売機会の逸失を減少／回避することができる。また、複数のコラムに同一種類の商品を収容して販売する場合には、搬出可能温度に短時間で達するものから順に搬出が行われるので、搬出可能温度に達していない商品が搬出（販売）されてしまうことが回避される。
【図面の簡単な説明】
【００１５】
【図１】本発明の第１実施形態の自動販売機を示す概略説明図である。
【図２】本発明の第２実施形態の自動販売機を示す概略説明図である。
【図３】本発明の第２実施形態の自動販売機において、コラム群を構成する２つのコラムからの商品の搬出順位を例示する概略説明図である。
【発明を実施するための形態】
【００１６】
以下、本発明の実施形態について、図面を参照して詳細に説明する。
【００１７】
図１は、本発明の第１実施形態の自動販売機１０を示す概略説明図である。
【００１８】
自動販売機１０は、収納庫２０と、冷却装置（温度調整装置）３０と、制御部Ｃと、を備えている。
【００１９】
収納庫２０内には、複数のコラムＣＬ（ＣＬ１，ＣＬ２，ＣＬ３，…ＣＬｎ；ただし、ｎは２以上の自然数）が収納されている。なお、収納庫２０内において、コラムＣＬ１，ＣＬ２，ＣＬ３，…ＣＬｎは、自動販売機１０の幅方向（左右方向）に並べて配置されていてもよいし、奥行方向（前後方向）に並べて配置されていてもよい。
【００２０】
コラムＣＬ１，ＣＬ２，ＣＬ３，…ＣＬｎには、それぞれ異なる種類の商品（缶やペットボトル入りの飲料等）Ｐ（Ｐ１，Ｐ２，Ｐ３，…Ｐｎ）が複数個ずつ収容される。各コラムにおける商品の収容態様は、図１に示されるように、一の商品の上に他の商品が順次積み重ねられる直積式であってもよいし、鉛直方向に対して蛇行する経路に沿って商品が順次積み重ねられるサーペンタイン式であってもよい。また、各コラムが収容し得る商品Ｐの最大個数を、最大収容個数Ｎと称することとする。なお、本明細書においては、全てのコラムＣＬの最大収容個数Ｎが同一であることを想定しているが、コラムによって最大収容個数Ｎが異なっていてもよい。
【００２１】
それぞれのコラムＣＬ１，ＣＬ２，ＣＬ３，…ＣＬｎには、収容された商品Ｐ１，Ｐ２，Ｐ３，…Ｐｎを搬出する搬出装置ＤＣ（ＤＣ１，ＤＣ２，ＤＣ３，…ＤＣｎ）が付設されている。なお、隣り合う２つのコラムからの商品の搬出を、これら２つのコラムに共通の１つの搬出装置により行うように構成してもよい。
【００２２】
さらに、それぞれのコラムＣＬ１，ＣＬ２，ＣＬ３，…ＣＬｎに収容された商品の販売状態を表示する表示器ＤＰ（ＤＰ１，ＤＰ２，ＤＰ３，…ＤＰｎ）が、自動販売機１０の前面、例えばそれぞれのコラムの商品選択ボタンの近傍に、またはこれと一体に設けられている（図１においては、便宜上、表示器ＤＰ１，ＤＰ２，ＤＰ３，…ＤＰｎが自動販売機１０の下方に配置されているように示されているが、これは実際の配置を反映したものではない）。
【００２３】
表示器ＤＰによって表示される商品の販売状態は、「販売中」（商品の在庫があり、且つ、販売に適した温度になっている商品がある状態）、「準備中」（商品の在庫はあるものの、販売に適した温度になっている商品がない状態）及び「売り切れ」（商品の在庫がない状態）のいずれかである。
【００２４】
収納庫２０は、断熱壁により囲まれており、後述する冷却装置３０によって内部の温度（庫内温度）が調整される。そのために、収納庫２０の後部壁に沿って空気通路（図示省略）が設けられている。当該空気通路は、例えば、収納庫２０の後部壁に沿って配置された空気ダクト（図示省略）として、または、コラムＣＬに付設された後部壁（図示省略）若しくはコラムＣＬとは別に設けられた仕切壁（図示省略）によって前方の空間と隔てられた空間として、形成されている。空気通路の内部、または、その入口若しくは出口の近傍に設置された送風ファン（図示省略）を用いて、冷却装置３０により冷却された空気を、空気通路内で上向きまたは下向きに流すことにより、収納庫２０の内部全体を循環する冷風の流れが形成され、これによりコラムＣＬに収容された商品Ｐが冷却される。なお、コラムＣＬからの商品Ｐの搬出は下方において行われるため、搬出される（即ち、販売される）直前の状態にあるコラムＣＬ下方の商品Ｐを優先的に冷却すべく、冷風の循環流が収納庫２０の下方において形成されるように空気通路を構成してもよい。
【００２５】
また、収納庫２０内には、コラムＣＬに収容された商品の温度を間接的に把握することを目的として、庫内温度（庫内代表温度Ｔ）を計測するためのセンサＴＳが設置されている。センサＴＳは、上述した空気通路の内部、コラムＣＬの上方または下方など、収納庫２０内の適宜の部位に設置することができる（図１においては、便宜上、センサＴＳが自動販売機１０の高さ方向の中央部に配置されているように示されているが、これは実際の配置を反映したものではない）。
【００２６】
冷却装置３０は、収納庫２０の下方に配置され、収納庫２０内の空気を冷却する機能を有する装置である。冷却装置３０としては、例えば冷凍回路を内蔵する冷却機器を用いることができるが、これに限定されない。
【００２７】
制御部Ｃは、自動販売機１０の動作全般を制御する機能を有するものであるが、本発明に関わる特徴的な機能として、センサＴＳから入力される庫内代表温度Ｔに基づいて、表示器ＤＰに対して商品の販売状態を表示するための信号を出力すると共に、顧客による貨幣の投入及び商品の選択を受けて、選択された商品を収容するコラムＣＬに対応する搬出装置ＤＣに対して搬出指令信号Ｓｄｃ（後述）を出力する機能を有している。そのために、制御部Ｃは、センサＴＳ、複数の搬出装置ＤＣ及び複数の表示器ＤＰのそれぞれと電気的に接続されている。
【００２８】
次に、制御部Ｃが保有しているデータ、及び、当該データに基づく制御部Ｃの動作について説明する。
【００２９】
制御部Ｃは、内蔵された記憶媒体（図示省略）内に、それぞれのコラムＣＬ１，ＣＬ２，ＣＬ３，…ＣＬｎについて、以下で説明する相関データＤＡＴｃ及び在庫データＤＡＴｒを保有している。
【００３０】
相関データＤＡＴｃは、庫内代表温度Ｔと、当該温度の下で搬出可能温度Ｔｄ以下に温度が低下している商品の総個数（搬出可能総個数）Ｎｄとの関係を示すデータである。このデータは、自動販売機１０（または、これを模擬した装置）を用いた実験によって事前に取得される。
【００３１】
この実験では、収納庫２０内の全てのコラムのそれぞれに最大収容個数Ｎの商品を収容した状態で、庫内代表温度Ｔを徐々に低下させながら、各温度の下で搬出可能温度Ｔｄ以下の温度に達している商品の個数が、コラムごとに記録される。
【００３２】
例えば、あるコラムについて、庫内代表温度がＴ１のとき１個目の商品（総計１個の商品）が、庫内代表温度がＴ２のとき２個目の商品（総計２個の商品）が、…庫内代表温度がＴＮのときＮ個目の商品（総計Ｎ個の商品）が、それぞれ搬出可能温度Ｔｄ以下の温度に達したものとすると、当該コラムの相関データＤＡＴｃは、表１に示すようなテーブル形式のデータとして構成することができる（ただし、Ｔ１＞Ｔ２＞…＞ＴＮである。また、最大収容個数Ｎ＝１２としている）。
【００３３】
【表１】
2019101670.tif 000003
【００３４】
在庫データＤＡＴｒは、それぞれのコラムＣＬ１，ＣＬ２，ＣＬ３，…ＣＬｎに残存している商品の個数（残存個数）Ｎｒを示すデータである。
【００３５】
自動販売機１０の通常運転中、即ち商品の補充が行われてから次に商品の補充が行われるまでの期間において、制御部Ｃは、センサＴＳから入力される庫内代表温度Ｔと各コラムＣＬ１，ＣＬ２，ＣＬ３，…ＣＬｎの相関データＤＡＴｃとを対照することにより、その時点における各コラムＣＬ１，ＣＬ２，ＣＬ３，…ＣＬｎの搬出可能総個数Ｎｄを把握する。
【００３６】
また、制御部Ｃは、各コラムＣＬ１，ＣＬ２，ＣＬ３，…ＣＬｎの在庫データＤＡＴｒを参照することにより、その時点における各コラムＣＬ１，ＣＬ２，ＣＬ３，…ＣＬｎの残存個数Ｎｒを把握し、当該残存個数Ｎｒを最大収容個数Ｎから差し引くことにより、各コラムＣＬ１，ＣＬ２，ＣＬ３，…ＣＬｎから既に搬出された商品の総個数、即ち搬出済み総個数Ｎｅを把握する。
【００３７】
ここで、あるコラムにおいて、搬出可能総個数Ｎｄが搬出済み総個数Ｎｅよりも多ければ（即ち、Ｎｄ＞Ｎｅであれば）、当該コラムに収容された商品（のうち（Ｎｄ−Ｎｅ）個）は、搬出可能温度Ｔｄ以下に温度が低下しており、搬出（販売）が可能であることになる。一方、搬出可能総個数Ｎｄが搬出済み総個数Ｎｅと等しい場合（即ち、Ｎｄ＝Ｎｅである場合）、当該コラムに収容された商品のうち搬出可能温度Ｔｄ以下に温度が低下しているものは０個であり、搬出（販売）は不可能ということになる。なお、搬出済み総個数Ｎｅが搬出可能総個数Ｎｄよりも多くなること（即ち、Ｎｅ＞Ｎｄとなること）はない。
【００３８】
以上を踏まえ、制御部Ｃは、各コラムＣＬ１，ＣＬ２，ＣＬ３，…ＣＬｎについて搬出可能総個数Ｎｄと搬出済み総個数Ｎｅを比較し、搬出可能総個数Ｎｄが搬出済み総個数Ｎｅよりも多いコラムについて、対応する表示器ＤＰ１，ＤＰ２，…ＤＰｎに対して、商品が「販売中」である旨の表示をするよう指示すると共に、商品の販売指令信号が入力された時、即ち顧客が貨幣を投入し商品を選択した時には、選択された商品を収容するコラムＣＬに対応する搬出装置ＤＣに対して、搬出指令信号Ｓｄｃを出力する。
【００３９】
一方、制御部Ｃは、搬出可能総個数Ｎｄが搬出済み総個数Ｎｅと等しいコラムについては、対応する表示器ＤＰに対して、商品が「準備中」である旨の表示をするよう指示すると共に、販売を中止する。
【００４０】
なお、当然ながら、制御部Ｃは、残存個数Ｎｒが０個であるコラムについては、対応する表示器ＤＰに対して、商品が「売り切れ」である旨の表示をするよう指示する。
【００４１】
以上のように構成されていることにより、本発明の第１実施形態の自動販売機１０においては、収容されている商品のうち少なくとも１個が搬出可能温度Ｔｄ以下の温度に達しているコラムＣＬについては、当該商品の搬出（販売）が可能となるので、複数のコラムＣＬに収容された全ての商品が搬出可能温度Ｔｄ以下の温度に達するまでは何れの商品も「準備中」としていた従来の自動販売機と比較して、商品の販売機会の逸失を減少／回避することができる。
【００４２】
なお、相関データＤＡＴｃの取得のための実験は、収納庫２０内の全てのコラムのそれぞれに最大収容個数Ｎの商品を収容した状態で行われるが、自動販売機１０の通常運転中、コラムに収容されている商品の個数は、最大収容個数Ｎより少なくなる。この場合においても、実験により得られた相関データＤＡＴｃを用いることにより、搬出可能温度Ｔｄ以下の温度での商品の搬出を、より確実に行うことができる。
【００４３】
例えば、商品の補充が行われてから３個の商品が搬出（販売）された後の状態では、コラムにおいて下から４番目に収容されていた商品が最も下に移動している。このとき、当該商品は、下から４番目に収容されている場合よりも冷却されやすい状態にあるので、実際には庫内代表温度ＴがＴ３とＴ４の間の温度に達した時点で搬出可能温度Ｔｄ以下の温度になると推測される。これは、視点を変えると、庫内代表温度ＴがＴ４に達していれば、商品が搬出可能温度Ｔｄ以下の温度に達していないという事態が確実に回避されることを意味している。
【００４４】
なお、以上においては、自動販売機１０が、収納庫２０内のコラムＣＬに収容された商品を冷却して販売するものであるとして説明したが、冷却装置３０に代えて、例えばヒートポンプ回路を内蔵する加熱機器を用いた加熱装置、あるいは、冷却装置と加熱装置を組み合わせた温度調整装置を採用することも可能である。
【００４５】
これらいずれの場合においても、設置環境（気温、風、日照等）の影響によって冷却または加熱に長い時間を要する収納庫２０外縁近傍のコラムに収容された商品が販売に適した温度となるのを待つことなく、外縁近傍のコラムに収容された商品より短時間で冷却または加熱される収納庫２０中心部近傍のコラムに収容された商品を適時に販売することが可能となる。
【００４６】
図２は、本発明の第２実施形態の自動販売機１１０を示す概略説明図である。
【００４７】
自動販売機１１０は、大部分において第１実施形態の自動販売機１０と同一の構成を備えているが、収納庫１２０内に、同一種類の商品Ｐ０（缶やペットボトル入りの飲料等）を収容する複数のコラムＣＬから成るコラム群ＣＧが少なくとも１つ収納されている点で、第１実施形態の自動販売機１０と相違している。
【００４８】
なお、以下の説明においては、自動販売機１１０の収納庫１２０内に、共に商品Ｐ０を収容する２つのコラムＣＬ１及びＣＬ２から成る１つのコラム群ＣＧがあるものとする。
【００４９】
上述した相違点に対応して、制御部Ｃは、コラム群ＣＧに属するコラムＣＬ１，ＣＬ２に対応する搬出装置ＤＣ１，ＤＣ２を統合して制御する。
【００５０】
そして、制御部Ｃは、コラム群ＣＧについて、搬出順序データＤＡＴｓを保有している。搬出順序データＤＡＴｓは、コラム群ＣＧからの商品の搬出順位と、当該搬出順位において商品を搬出すべきコラム（ＣＬ１，ＣＬ２のうちいずれか）との対応を規定するデータである。このデータは、自動販売機１１０（または、これを模擬した装置）を用いた実験によって事前に取得される。
【００５１】
この実験では、収納庫１２０内の複数のコラムのそれぞれに最大収容個数Ｎの商品を収容した状態で、庫内代表温度Ｔを徐々に低下させながら、各温度の下でコラム群ＣＧに属するコラムＣＬ１，ＣＬ２に収容された商品が如何なる順序で搬出可能温度Ｔｄ以下の温度に達していくかが記録される。
【００５２】
例えば、上述した実験において、コラムＣＬ１，ＣＬ２（ここでは、最大収容個数Ｎ＝６とする。）に収容された商品が、図３に示された順序で搬出可能温度Ｔｄ以下の温度に達したものとすると、コラム群ＣＧの搬出順序データＤＡＴｓを、表２に示すようなテーブル形式のデータとして構成することができる。  
【００５３】
【表２】
2019101670.tif 000004
【００５４】
なお、例えば、設置環境（気温、風、日照等）の影響を受けにくい収納庫２０中心部により近いコラム（ここでは、コラムＣＬ２）に収容された商品のうちｍ個（ただしｍ＜Ｎ）が最初に搬出可能温度Ｔｄ以下の温度に達することが経験的に知られている場合は、上述した実験を行うことなく、搬出順位の１〜ｍ位をコラムＣＬ２に割り当て、以下の搬出順位はコラムＣＬ１とコラムＣＬ２に交互に割り当てるようにしてもよい。
【００５５】
また、上述した相違点に対応して、制御部Ｃは、コラムＣＬ１，ＣＬ２のそれぞれについての相関データＤＡＴｃ及び在庫データＤＡＴｒに代えて、コラム群ＣＧについての相関データＤＡＴｃ及び在庫データＤＡＴｒを保有している。
【００５６】
そして、自動販売機１１０の通常運転中、制御部Ｃは、センサＴＳから入力される庫内代表温度Ｔと相関データＤＡＴｃとを対照することにより、その時点における各コラムＣＬ１，ＣＬ２の搬出可能総個数Ｎｄに代えてコラム群ＣＧの搬出可能総個数Ｎｄを把握する。
【００５７】
同様に、制御部Ｃは、各コラムＣＬ１，ＣＬ２の在庫データＤＡＴｒに代えてコラム群ＣＧの在庫データＤＡＴｒを参照することにより、その時点におけるコラム群ＣＧの残存個数Ｎｒを把握し、当該残存個数Ｎｒを最大収容個数（２×Ｎ）から差し引くことにより、コラム群ＣＧから既に搬出された商品の総個数、即ち搬出済み総個数Ｎｅを把握する。
【００５８】
そして、制御部Ｃは、コラム群ＣＧについて、搬出可能総個数Ｎｄと搬出済み総個数Ｎｅを比較し、搬出可能総個数Ｎｄが搬出済み総個数Ｎｅよりも多い場合は、対応する表示器ＤＰ１，ＤＰ２に対して、商品が「販売中」である旨の表示をするよう指示すると共に、コラム群ＣＧに属するコラムＣＬ１，ＣＬ２の何れかに収容された商品の販売指令信号が入力された時には、上述した搬出順序データＤＡＴｓに基づいて、搬出装置ＤＣ１，ＤＣ２の何れかに対して搬出指令信号Ｓｄｃを出力する。
【００５９】
一方、制御部Ｃは、搬出可能総個数Ｎｄが搬出済み総個数Ｎｅと等しい場合は、表示器ＤＰ１及びＤＰ２に対して、商品が「準備中」である旨の表示をするよう指示すると共に、販売を中止する。
【００６０】
なお、当然ながら、制御部Ｃは、残存個数Ｎｒが０個である場合には、対応する表示器ＤＰ１，ＤＰ２に対して、商品が「売り切れ」である旨の表示をするよう指示する。
【００６１】
以上のように構成されていることにより、本発明の第２実施形態の自動販売機１１０においては、複数のコラムからの同一種類の商品Ｐ０の搬出を、単純に複数のコラムから交互に行うのではなく、これら複数のコラムに収容された商品Ｐ０のうち、搬出可能温度Ｔｄ以下の温度により短時間で達するものから順に行うので、従来の自動販売機のように、搬出可能温度Ｔｄ以下に温度が低下していない商品が搬出（販売）されてしまうことが回避される。
【００６２】
なお、自動販売機１１０においても、冷却装置１３０に代えて、加熱機器を用いた加熱装置、あるいは、冷却装置と加熱装置を組み合わせた温度調整装置を採用することも可能である。
【符号の説明】
【００６３】
１０、１１０  自動販売機
２０、１２０  収納庫
３０          温度調整装置
Ｃ            制御部
ＣＧ          コラム群
ＣＬ          コラム
ＤＣ          搬出装置
ＤＰ          表示器
Ｐ            商品
Ｔ            庫内代表温度
Ｔｄ          搬出可能温度
ＴＳ          センサ
ＤＡＴｃ      相関データ
ＤＡＴｒ      在庫データ
ＤＡＴｓ      搬出順序データ
Ｎ            最大収容個数
Ｎｄ          搬出可能総個数
Ｎｅ          搬出済み総個数
Ｎｒ          残存個数
Ｓｄｃ        搬出指令信号
【図１】
2019101670.tif 000005
【図２】
2019101670.tif 000006
【図３】
2019101670.tif 000007